(57)【特許請求の範囲】
【請求項１】
水道管に連通する水栓の水道水通路（２１）とスパウト（２２）との間に設けられ、外付けの水処理手段である浄水器（１００）に連結される継手部材（１）において、
該継手部材（１）は操作手段である切換ハンドル（２５）により、該スパウト（２２）から、水道水または浄水器（１００）によって処理された浄水のいずれかを吐出し、
前記継手部材（１）は、本体（２）と、切換弁室（１５）と、切換ハンドル（２５）を前後方向に連接し、
該本体（２）は円柱状に形成され、該切換弁室（１５）の前方に設けられ、該切換弁室（１５）の後方に切換ハンドル（２５）を連接し、
該本体（２）には、スパウト（２２）と連結される第一吐水口（１２）を上部に、水道水通路（２１）と連結される給水口（１１）を下部に開口し、
該本体（２）の前後方向に、第二吐水口（１３）と、戻り口（１４）と、給水口（１１）と切換弁室（１５）とを連通する第一通水孔（１６）と、切換弁室（１５）と第二吐水口（１３）とを連通する第二通水孔（１７）と、戻り口（１４）と第一吐水口（１２）と切換弁室（１５）とを連通する第三通水孔（１８）とを穿設し、
前記第二吐水口（１３）および戻り口（１４）は、前記本体（２）において、切換弁室（１５）とは逆側の前部に開口され、
該第二吐水口（１３）および戻り口（１４）は、可撓性を有する管を接続するための接続具（５０）を連結および取り外し可能に構成されており、
前記接続具（５０）は、管側先端部をテーパ加工した第一接続具（５１）、円筒形に構成し、前記可撓性を有する管を内部に貫入可能に構成した第二接続具（５２）、または管側先端部に螺子を設け、管の先端に設けた螺子部と螺合可能に構成した第三接続具（５３）のいずれかで構成したことを特徴とする継手部材。
【請求項２】
前記第二吐水口（１３）および戻り口（１４）は、前記第二吐水口（１３）のみ、もしくは前記第二吐水口（１３）および戻り口（１４）の両方を塞ぐための閉塞部材（８１）を連結および取り外し可能に構成したことを特徴とする請求項１に記載の継手部材。
【発明の詳細な説明】
【技術分野】
【０００１】
本発明は、水栓とスパウトとの間に設けられ、前記水栓における通水路の浄水器等の外部設備への連通または遮断の切り換えを行う継手部材の技術に関する。
【背景技術】
【０００２】
従来、原水として、水または湯の状態の水道水を吐出するための単水栓は知られており、該単水栓の水回路に浄水器を付設して、原水に加えて浄水をも給水可能に構成する場合があった。そして、浄水を給水する場合には、一つの単水栓にて原水の吐水、および、浄水の吐水を可能に構成した継手部材の技術が公知となっている（例えば、特許文献１、特許文献２参照）。
【先行技術文献】
【特許文献】
【０００３】
【特許文献１】特開２００４−２７８６７０号公報
【特許文献２】特開２００６−３７７０５号公報
【発明の概要】
【発明が解決しようとする課題】
【０００４】
しかし、例えば市販の浄水器を前記継手部材と接続する場合、浄水器と継手部材とを接続するホースにおける継手部材側の先端部の形状が浄水器ごとに異なることがあり、継手部材のホースを接続する接続部の形状がホースの前記先端部の形状と合わない場合には、継手部材全体を取り外して交換する必要があった。
【０００５】
そこで、本発明は係る課題に鑑み、市販の浄水器等と接続する場合であっても、種々のホースの先端部の形状に合わせて接続部を変更することができる継手部材を提供する。
【課題を解決するための手段】
【０００６】
本発明の解決しようとする課題は以上の如くであり、次にこの課題を解決するための手段を説明する。
【０００７】
請求項１においては、水道管に連通する水栓の水道水通路（２１）とスパウト（２２）との間に設けられ、外付けの水処理手段である浄水器（１００）に連結される継手部材（１）において、該継手部材（１）は操作手段である切換ハンドル（２５）により、該スパウト（２２）から、水道水または浄水器（１００）によって処理された浄水のいずれかを吐出し、前記継手部材（１）は、本体（２）と、切換弁室（１５）と、切換ハンドル（２５）を前後方向に連接し、該本体（２）は円柱状に形成され、該切換弁室（１５）の前方に設けられ、該切換弁室（１５）の後方に切換ハンドル（２５）を連接し、該本体（２）には、スパウト（２２）と連結される第一吐水口（１２）を上部に、水道水通路（２１）と連結される給水口（１１）を下部に開口し、該本体（２）の前後方向に、第二吐水口（１３）と、戻り口（１４）と、給水口（１１）と切換弁室（１５）とを連通する第一通水孔（１６）と、切換弁室（１５）と第二吐水口（１３）とを連通する第二通水孔（１７）と、戻り口（１４）と第一吐水口（１２）と切換弁室（１５）とを連通する第三通水孔（１８）とを穿設し、前記第二吐水口（１３）および戻り口（１４）は、前記本体（２）において、切換弁室（１５）とは逆側の前部に開口され、該第二吐水口（１３）および戻り口（１４）は、可撓性を有する管を接続するための接続具（５０）を連結および取り外し可能に構成されており、前記接続具（５０）は、管側先端部をテーパ加工した第一接続具（５１）、円筒形に構成し、前記可撓性を有する管を内部に貫入可能に構成した第二接続具（５２）、または管側先端部に螺子を設け、管の先端に設けた螺子部と螺合可能に構成した第三接続具（５３）のいずれかで構成したものである。
【０００８】
請求項２においては、請求項１記載の継手部材において、第二吐水口（１３）および戻り口（１４）は、前記第二吐水口（１３）のみ、もしくは前記第二吐水口（１３）および戻り口（１４）の両方を塞ぐための閉塞部材（８１）を連結および取り外し可能に構成したものである。
【発明の効果】
【０００９】
本発明の効果として、以下に示すような効果を奏する。
【００１０】
請求項１においては、市販の浄水器等と接続する場合であっても、種々のホースの先端部の形状に合わせて継手部材の接続具を変更することができる。
【００１１】
請求項２においては、市販の浄水器等と接続する場合であっても、種々のホースの先端部の形状に合わせて継手部材の接続具を変更することができる。また、戻り口を使用しない場合に、外部からの異物の浸入を阻止し、戻り口の劣化を防止することができる。また、第二吐水口および戻り口の両方を使用しない場合に、外部からの異物の浸入を阻止し、第二吐水口および戻り口の両方の劣化を防止することができる。
【図面の簡単な説明】
【００１２】
【図１】本発明の一実施例に係る継手部材の全体的な構成を示した側面一部断面図。
【図２】継手部材の平面一部断面図。
【図３】切換弁室の正面図。
【図４】継手部材のＡ−Ａ線断面図。
【図５】第二接続具を取り付けた継手部材の平面一部断面図。
【図６】第三接続具および閉塞部材を取り付けた継手部材の平面一部断面図。
【図７】第一接続具および閉塞部材を取り付けた継手部材の平面一部断面図。
【図８】第二接続具および閉塞部材を取り付けた継手部材の平面一部断面図。
【図９】閉塞部材を取り付けた継手部材の平面一部断面図。
【発明を実施するための形態】
【００１３】
次に、発明の実施の形態を説明する。なお、本実施形態においては図１の紙面手前方向を左方向、紙面奥方向を右方向と定義し、紙面上方を上方向、紙面下方を下方向と定義する。また、紙面向かって左方を前方向と定義し、紙面向かって右方を後方向と定義する。
【００１４】
まず、継手部材１について図１、図２、図３および図４を用いて説明する。継手部材１は、図１および図２に示すように、本体２と、給水口１１と、第一吐水口１２と、第二吐水口１３と、戻り口１４と、切換弁室１５と、第一通水孔１６と、第二通水孔１７と、第三通水孔１８と、を具備する。
【００１５】
継手部材１は、図示せぬ水道管に連通する水栓の水道水通路２１とスパウト２２との間に設けられる。また、継手部材１は外付けの水処理手段の一例である浄水器１００（図２参照）に連結されている。継手部材１の操作手段である切換ハンドル２５が切り換えられることにより、スパウト２２から水道水または浄水器１００によって処理された浄水のいずれかを吐出する。
【００１６】
本体２は、円柱状に形成され、切換弁室１５の前方に設けられている。本体２には、給水口１１と、第一吐水口１２と、第二吐水口１３と、戻り口１４と、第一通水孔１６と、第二通水孔１７と、第三通水孔１８と、が形成される。
【００１７】
給水口１１は、水道管に連通する水道水通路２１と連結される。給水口１１は、本体２下部に設けられており、給水口１１の外周にはナット１１ａが嵌設されている。ナット１１ａを水道水通路２１の開口部外周面に設けられた螺子部に螺合することにより、給水口１１は水道水通路２１と連結される。
【００１８】
第一吐水口１２は、スパウト２２と連結される。第一吐水口１２は、本体２上部に設けられており、第一吐水口１２の外周面には螺子部１２ａが設けられている。螺子部１２ａをスパウト２２の開口部内周面に設けられた螺子部に螺合することにより、第一吐水口１２はスパウトと連結される。
【００１９】
第二吐水口１３は、外付けの水処理手段である浄水器１００に水道水を供給するための可撓性を有する管である吐水ホース３１に連結される。第二吐水口１３は、本体２前部に設けられており、後述する接続具５０を嵌設することができるように接続具挿入部１３ａを有している。そして、接続具５０を接続具挿入部１３ａに挿入することにより、接続具５０を介して吐水ホース３１と第二吐水口１３とを連結可能としている。接続具挿入部１３ａは第二吐水口１３と中心を同じくする円筒形状に構成されている。
【００２０】
戻り口１４は、浄水器１００において処理された浄水を継手部材１側へ戻すための可撓性を有する管である戻りホース３２に連結される。戻り口１４は、本体２前部に設けられており、後述する接続具５０を嵌設することができるように接続具挿入部１４ａを有している。そして、接続具５０を接続具挿入部１４ａに挿入することにより、接続具５０を介して戻りホース３２と戻り口１４とを連結可能としている。接続具挿入部１４ａは戻り口１４と中心を同じくする円筒形状に構成されている。
【００２１】
切換弁室１５は、水道水通路２１から水道水が流入する空間である。切換弁室１５は、図３に示すように、給水口１１と連通し、給水口１１から流れ込む水道水を切換弁室１５へ流入させる流入口４１と、第一吐水口１２と連通し、切換弁室１５から第二吐水口１３へ水道水を流出させる第一流出口４２と、第一吐水口１２と連通し、切換弁室１５から第一吐水口１２へ水道水を流出させる第二流出口４３と、を有する。流入口４１、第一流出口４２および第二流出口４３は、切換弁室１５の前部に設けられている。
【００２２】
また、切換弁室１５には図示せぬ切換弁が設けられており、切換弁を開閉することにより、切換弁室１５へ供給された水道水を第一流出口４２側へ流すか、第二流出口４３側へ流すかを切り換えることが可能となる。また、切換弁は、流入口４１を常に開放し、第一流出口４２または第二流出口４３のいずれか一方を閉じるように形成している。
【００２３】
第一通水孔１６は、給水口１１と切換弁室１５の流入口４１とを連通する孔である。第一通水孔１６は、図１、図２および図４に示すように、本体２内部に穿設され、給水口１１から上方へ形成された部分と、流入口４１へ連通するように本体２長手方向と平行に形成された部分とから構成される。水道水は、給水口１１から第一通水孔１６を通過して流入口４１へ流れ、切換弁室１５に流れ込む。
【００２４】
第二通水孔１７は、第一流出口４２と第二吐水口１３とを連通する孔である。第二通水孔１７は、本体２内部に穿設され、第一流出口４２へ連通するように本体２長手方向と平行に形成される。切換弁が、第一流出口４２が開放されるように切り換えられたときは、水道水は、第一流出口４２から第二通水孔１７を通過して第二吐水口１３へ流れ、吐水ホース３１に流れ込む。
【００２５】
第三通水孔１８は、戻り口１４と第一吐水口１２と第二流出口４３とを連通する孔である。第三通水孔１８は、本体２内部に穿設され、第二流出口４３へ連通するように本体２長手方向と平行に形成される部分と、本体２長手方向と平行に形成される部分の中途部から第一吐水口１２方向（上方）へ形成される部分と、から構成される。切換弁が、第一流出口４２が開放されるように切り換えられたときは、水栓の吐水時に、切換弁室１５に供給された水道水が第二通水孔１７を通じて浄水器１００へ供給され、浄水器１００によって処理された浄水が戻り口１４から第三通水孔１８を通過して第一吐水口１２へ流れ、スパウト２２へ流れ込む。また、切換弁が、第二流出口４３が開放されるように切り換えられたときは、切換弁室１５に供給された水道水は、第二流出口４３から第三通水孔１８を通過して直接第一吐水口１２へ流れ、スパウト２２へ流れ込む。つまり、前記切換弁を切り換え操作することで、スパウト２２からの吐水を水道水および浄水の何れかに切り換えることが可能となっている。
【００２６】
次に、接続具５０について説明する。接続具５０は、第二吐水口１３の接続具挿入部１３ａおよび戻り口１４の接続具挿入部１４ａに挿入して連結することで、吐水ホース３１および戻りホース３２を、それぞれ第二吐水口１３および戻り口１４と接続することが可能となっている。接続具５０は、第一接続具５１、第二接続具５２、または第三接続具５３のいずれかで構成する。第一接続具５１、第二接続具５２、および、第三接続具５３は、第二吐水口１３の接続具挿入部１３ａまたは戻り口１４の接続具挿入部１４ａと連結または取り外し可能に構成されている。
【００２７】
すなわち、第一接続具５１、第二接続具５２、および第三接続具５３の外径は、接続具挿入部１３ａおよび接続具挿入部１４ａの内径とほぼ同じ長さで構成されている。また、第一接続具５１、第二接続具５２、および第三接続具５３の外面には弾性体からなる環状のパッキン５５が装着されている。第一接続具５１、第二接続具５２、および第三接続具５３を接続具挿入部１３ａおよび接続具挿入部１４ａに挿入した際は、パッキン５５が接続具挿入部１３ａおよび接続具挿入部１４ａの内面と接触することにより、水が接続具挿入部１３ａおよび接続具挿入部１４ａの内面と第一接続具５１、第二接続具５２、および第三接続具５３の外面との間から漏洩するのを防ぐ。また、パッキン５５と接続具挿入部１３ａおよび接続具挿入部１４ａの内面との摩擦により、第一接続具５１、第二接続具５２、および第三接続具５３が接続具挿入部１３ａおよび接続具挿入部１４ａから脱落するのを一定防止することができる。これにより、第一接続具５１、第二接続具５２、および第三接続具５３は接続具挿入部１３ａおよび接続具挿入部１４ａに容易に挿入し、取り外すことができる。
【００２８】
このように構成することにより、第一接続具５１、第二接続具５２および第三接続具５３を種々のホースの先端部の形状に合わせて交換することができる。
【００２９】
第一接続具５１は、内部に水を通すための通路５１ａを設けている。また、第一接続具５１は、図２に示すように、吐水ホース３１または戻りホース３２側の先端部の外周面をテーパ加工している。すなわち、第一接続具５１は、吐水ホース３１側の先端に向かうに従い外径が小さくなるように形成している。第一接続具５１の通路５１ａは、第一接続具５１を接続具挿入部１３ａまたは接続具挿入部１４ａに挿入した場合、第二吐水口１３または戻り口１４と連通する。これにより、第二吐水口１３から吐出された水道水は第一接続具５１の通路５１ａを通って、吐水ホース３１へ吐出される。また、戻りホース３２を通ってきた浄水は第一接続具５１の通路５１ａを通って、戻り口１４から第三通水孔１８内へ戻される。吐水ホース３１は、第一接続具５１に外嵌される。また、戻りホース３２も、第一接続具５１に外嵌されている。吐水ホース３１および戻りホース３２の先端部は、伸縮可能となっており、テーパ加工された第一接続具５１の先端部に密着するように外嵌されている。また、第一接続具５１と接続した吐水ホース３１および戻りホース３２の接続端は押え部材６１によって押えられて固定され、さらに、押え部材６１にはカバー部材６２が嵌設される。カバー部材６２および押え部材６１は螺子６３を挿通して、螺子６３を本体２に螺挿することにより本体２に連結される。つまり、螺子６３を本体２に螺挿することで、カバー部材６２を介して押え部材６１を本体２側へ押圧し、第一接続具５１に嵌装されている吐水ホース３１および戻りホース３２を、第一接続具５１と押え部材６１とで挟持している。これにより、吐水ホース３１および戻りホース３２が、それぞれ第二吐水口１３および戻り口１４に対して、シール性および抜け止め性を備えた状態で接続されている。
【００３０】
第二接続具５２は、吐水ホース３１および戻りホース３２よりも口径の小さい小径吐水ホース３３および小径戻りホース３４を継手部材１に接続する際に使用する接続具５０である。第二接続具５２は、図５に示すように、円筒形に構成されており、内部に水を通すための通路５２ａを設けている。小径吐水ホース３３は、第二接続具５２に貫入されている。また、小径戻りホース３４も第二接続具５２に貫入されている。第二接続具５２と接続する小径吐水ホース３３および小径戻りホース３４は、第二接続具５２の通路５２ａの内径よりも小さい外径を有している。第二接続具５２の通路５２ａは、第二接続具５２を接続具挿入部１３ａまたは接続具挿入部１４ａに挿入した場合、第二吐水口１３または戻り口１４と連通する。これにより、第二吐水口１３から吐出された水道水は第二接続具５２の通路５２ａを通って、小径吐水ホース３３へ吐出される。また、小径戻りホース３４を通ってきた浄水は第二接続具５２の通路５２ａを通って、戻り口１４から第三通水孔１８内へ戻される。また、二つの第二接続具５２にはカバー部材６２が嵌設される。カバー部材６２は螺子６３を挿通して、螺子６３を本体２に螺挿することにより本体２に連結される。また、第二接続具５２に貫入した小径吐水ホース３３および小径戻りホース３４の接続端は抜け止め部材６５によって第二接続具５２から抜けるのを防止している。
【００３１】
抜け止め部材６５は小径吐水ホース３３および小径戻りホース３４に外嵌されており、図示せぬ爪部材が小径吐水ホース３３および小径戻りホース３４に食い込むことにより、小径吐水ホース３３および小径戻りホース３４と長手方向に相対移動不能に構成されている。また、抜け止め部材６５は、第二接続具５２の内周と接するように第二接続具５２内へ挿入されており、その第二接続具５２内の先端が肉厚になっている。
【００３２】
このように構成することにより、小径吐水ホース３３および小径戻りホース３４が第二接続具５２から抜ける方向に移動すると、その移動に伴って抜け止め部材６５が同じく第二接続具５２から抜ける方向へ移動する。そして、抜け止め部材６５の肉厚部分が第二接続具５２の内径と接し、内側へ押圧されることにより、これ以上小径吐水ホース３３および小径戻りホース３４が第二接続具５２から抜ける方向へ移動するのを防止する。これにより、小径吐水ホース３３および小径戻りホース３４が、それぞれ第二吐水口１３および戻り口１４に対して、シール性および抜け止め性を備えた状態で接続されている。
【００３３】
第三接続具５３は、先端部に接続部である接続端３５ａを有する接続端付き吐水ホース３５を継手部材１に接続する際に使用する接続具５０である。第三接続具５３は、図６に示すように、内部に水を通すための通路５３ａを設けており、挿入部側接続部材７１とホース側接続部材７２とから形成されている。挿入部側接続部材７１は略円筒形に構成されており、先端部の壁部肉厚が中途部よりも薄くなるように形成している。第三接続具５３の通路５３ａは、第三接続具５３を接続具挿入部１３ａに挿入した場合、第二吐水口１３と連通する。これにより、第二吐水口１３から吐出された水道水は第三接続具５３の通路５３ａを通って、接続端付き吐水ホース３５へ吐出される。
【００３４】
挿入部側接続部材７１の先端部外周面には螺子が設けられている。ホース側接続部材７２は、略円筒形に構成されており、挿入部側接続部材７１側の端部には、挿入部側接続部材７１の先端部を螺挿するための螺子孔が設けられている。
【００３５】
また、ホース側接続部材７２は、接続端付き吐水ホース３５側の端部肉厚が中途部よりも厚くなるように形成している。ホース側接続部材７２の接続端付き吐水ホース３５側の端部外周面には螺子７２ａが設けられている。第三接続具５３と接続する接続端付き吐水ホース３５は、ホース側接続部材７２の端部に設けられた螺子７２ａと螺合するための接続端３５ａを有している。接続端３５ａとホース側接続部材７２の端部に設けられた螺子７２ａとが螺合することにより、第三接続具５３と接続端付き吐水ホース３５とが連結する。
【００３６】
また、第三接続具５３を使用する場合には、戻り口１４側の接続具挿入部１４ａに閉塞部材８１を挿入する。この場合においては、第三接続具５３に接続された接続端付き吐水ホース３５から浄水器１００に流入する水道水は浄水器１００で処理され、別体で設けた図示せぬ浄水出口から吐出されることとなる。
【００３７】
閉塞部材８１は、略円柱状に形成されており、閉塞部材８１の外面には弾性体からなる環状のパッキン５５が装着されている。閉塞部材８１を接続具挿入部１４ａを挿入した際は、パッキン５５が接続具挿入部１４ａの内面と接触することにより、水が接続具挿入部１４ａの内面と閉塞部材８１の外面との間から漏洩するのを防ぐ。また、パッキン５５と接続具挿入部１４ａの内面との摩擦により、閉塞部材８１が接続具挿入部１４ａから脱落するのを一定防止することができる。これにより、閉塞部材８１は接続具挿入部１４ａに容易に挿入し、取り外すことができる。
【００３８】
また、第三接続具５３および閉塞部材８１にはカバー部材６２が嵌設される。カバー部材６２は螺子６３を挿通して、螺子６３を本体２に螺挿することにより本体２に連結される。
【００３９】
また、図７に示すように、第一接続具５１を使用する場合に、戻り口１４側の接続具挿入部１４ａに閉塞部材８１を挿入することもできる。この場合においては、第一接続具５１に接続された吐水ホース３１から浄水器１００に流入する水道水は浄水器１００で処理され、別体で設けた図示せぬ浄水出口から吐出されることとなる。
【００４０】
また、図８に示すように第二接続具５２を使用する場合に、戻り口１４側の接続具挿入部１４ａに閉塞部材８１を挿入することもできる。この場合においては、第二接続具５２に接続された小径吐水ホース３３から浄水器１００に流入する水道水は浄水器１００で処理され、別体で設けた図示せぬ浄水出口から吐出されることとなる。
【００４１】
また、図９に示すように、第二吐水口１３側の接続具挿入部１３ａおよび戻り口１４側の接続具挿入部１４ａに閉塞部材８１を挿入することもできる。この場合においては、切換弁は常に第二流出口４３が開放されるように切り換えられており、水道水は、第二流出口４３から第三通水孔１８を通過して第一吐水口１２へ流れ、スパウト２２へ流れ込む。
【００４２】
以上のように、継手部材１は、給水口１１と、第一吐水口１２と、第二吐水口１３と、戻り口１４と、切換弁室１５と、給水口１１と切換弁室１５とを連通する第一通水孔１６と、切換弁室１５と第二吐水口１３とを連通する第二通水孔１７と、戻り口１４と第一吐水口１２と切換弁室１５とを連通する第三通水孔１８と、を具備し、第二吐水口１３および戻り口１４は可撓性を有する吐水ホース３１および戻りホース３２を接続するための接続具５０を連結および取り外し可能に構成されており、接続具５０は、吐水ホース３１または戻りホース３２側の先端部をテーパ加工した第一接続具５１、円筒形に構成し小径吐水ホース３３または小径戻りホース３４を内部に貫入可能に構成した第二接続具５２、または接続端付き吐水ホース３５側の先端部に螺子７２ａを設け、接続端付き吐水ホース３５の先端に設けた接続端３５ａと螺合可能に構成した第三接続具５３のいずれかで構成したものである。このように構成することにより、市販の浄水器１００と接続する場合であっても、種々のホースの先端部の形状に合わせて継手部材１の接続具５０を変更することができる。
【００４３】
また、第二吐水口１３および戻り口１４は、第二吐水口１３のみ、もしくは第二吐水口１３および戻り口１４の両方を塞ぐための閉塞部材８１を連結および取り外し可能に構成したものである。このように構成することにより、市販の浄水器１００と接続する場合であっても、種々のホースの先端部の形状に合わせて継手部材１の接続具５０を変更することができる。また、第二吐水口１３を使用しない場合に、外部からの異物の浸入を阻止し、第二吐水口１３の劣化を防止することができる。また、第二吐水口１３および戻り口１４の両方を使用しない場合に、外部からの異物の浸入を阻止し、第二吐水口１３および戻り口１４の両方の劣化を防止することができる。
【符号の説明】
【００４４】
１    継手部材
２    本体
１１    給水口
１２    第一吐水口
１３    第二吐水口
１４    戻り口
１５    切換弁室
１６    第一通水孔
１７    第二通水孔
１８    第三通水孔
３１    吐水ホース
３２    戻りホース
５０    接続具
５１    第一接続具
５２    第二接続具
５３    第三接続具
８１    閉塞部材
【図１】
0005567797.tif 000002
【図２】
0005567797.tif 000003
【図３】
0005567797.tif 000004
【図４】
0005567797.tif 000005
【図５】
0005567797.tif 000006
【図６】
0005567797.tif 000007
【図７】
0005567797.tif 000008
【図８】
0005567797.tif 000009
【図９】
0005567797.tif 000010